【事件の表示】
　平成　４年特許願第３１４３６４号「監視カメラ・システム」拒絶査定に対する審判事件［平成　６年　５月３１日出願公開、特開平　６−１５３０３２］について、次のとおり審決する。
【結　論】
　本件審判の請求は、成り立たない。
【理　由】
１　本願発明
　本願は、平成４年１０月３０日の出願であって、その請求項１に係る発明（以下、「本願発明」という）は、平成１１年５月１９日、平成１３年７月９日、平成１４年１２月５日付けの手続補正書により補正された明細書および図面の記載からみて、特許請求の範囲の請求項１に記載された次のとおりのものと認める。
「　【請求項１】　監視が必要な空間の入口または出口の少くともいずれか一方を通る人物の全体または上半身を撮影するように少なくとも焦点距離，露光量および視野が調整されかつ上記監視が必要な空間内に設置された監視カメラ，
　上記監視カメラにより撮影された人物を表わす画像の映像信号または画像データを記録する記録手段，
　上記監視カメラが撮影する入口または出口の外側に設置され，かつ上記入口または出口の少くともいずれか一方を人物が通ることを検知して検知信号を発生するセンサ，および
　上記センサの検知信号に応答して，上記監視カメラに撮影動作を行なわせ，かつ撮影により得られた映像信号または画像データを上記記録手段に記録させる制御手段，
　を備えた監視カメラ・システム。」
　
２　刊行物発明
 （１）これに対して、原審拒絶理由で引用された、本願の出願日前である昭和５６年７月２９日に頒布された「特開昭５６−９３４９３号公報」（以下、「刊行物１」という）は、「ＣＣＴＶ監視装置」に関するものであって、その公報には次の事項が記載されている。
ア　「第１図は本発明によるＶＴＲ制御器を用いたＣＣＴＶ監視システムの実施例であって、１は監視用カメラ、２はセンサ、３はビデオモニタ、４はＶＴＲ制御器、５はＶＴＲである。・・・（中略）・・・従来使用されている長時間ＶＴＲはカメラ１からの映像信号を常時録画するものであったが、センサ２により人間の存在を検知し、その信号でＶＴＲ制御器４がＶＴＲ５を駆動させるシステムにより有効な録画が可能となった。ここで使用されるセンサは、赤外線を発生し異状状態を感知するもの、あるいは対象物の温度差により感知するもの等異状状態を検知し警報信号を発生するものが使用される。第２図はＶＴＲ制御器４のブロック回路構成図である。センサ２からの警報信号は、検知回路８によりＶＴＲ駆動パルスを発生させる。さらにセンサー警報終了後の監視の必要性を考慮し設定時間録画状態を保持するためのホールド回路９を設けてある。」（１頁右下欄１３行ないし２頁左上欄１２行、第１，２図）
イ　「利用分野は主に中小金融機関であり被監視室内に人のいる間のみセンサ等の信号により制御し、録画記録する。」（２頁右上欄４行ないし６行）
ウ　「以上説明したごとく本発明によるＶＴＲ制御器は、民生ＶＴＲを使用して、センサー信号により必要な時のみ、録画し有効録画時間を延し、長時間ＶＴＲと同様の効果を上げるとともによりスムースな再生画像が得られる。民生ＶＴＲは長時間ＶＴＲに較べ低価格であり、記録効率、運用コスト等にも優れている。主に中小金融機関等には、効率面、経済性からも最適である。」（２頁右下欄４行ないし１２行）
エ　これらの記載事項からして、刊行物１には、「ＶＴＲ制御器を用いたＣＣＴＶ監視システムであって、監視用カメラ、センサ、ビデオモニタ、ＶＴＲ制御器、ＶＴＲを有し、
　カメラ１からの映像信号を録画するものであって、センサ２により人間の存在を検知し、その信号でＶＴＲ制御器４がＶＴＲ５を駆動させるシステムにより有効な録画が可能であり、センサは、赤外線を発生し異状状態を感知するもの、あるいは対象物の温度差により感知するもの等異状状態を検知し警報信号を発生するものが使用され、センサ２からの警報信号は、検知回路８によりＶＴＲ駆動パルスを発生させ、センサー警報終了後の監視の必要性を考慮し設定時間録画状態を保持するためのホールド回路９を設けてあり、
被監視室内に人のいる間のみセンサ等の信号により制御し、録画記録するものであり、
　ＶＴＲ制御器は、民生ＶＴＲを使用して、センサー信号により必要な時のみ、録画し有効録画時間を延し、長時間ＶＴＲと同様の効果を上げるとともによりスムースな再生画像が得られ、効率面、経済性からも最適であるＣＣＴＶ監視装置。」（以下、「刊行物発明」という）が記載されていると認められる。
（２）また、原審拒絶査定で引用された、本願の出願日前である昭和６２年８月１１日に頒布された「特開昭６２−１８３２８９号公報」（以下、「刊行物２」という）は、「監視装置」に関するものであって、その公報には、次の事項が記載されている。
ア　「１は防犯監視用のビデオカメラであり、貴金属店あるいは酒屋などの個人店舗の店内に設置するものである。これは、必要に応じて、レジまたは、出入口付近などに適宜、設置してよいものである。２はアラームスイッチであり、店の出入口のドアに連動させる電気的スイッチである。これは、顧客の出入りを感知する赤外線センサあるいは、人体の体温をキャッチするセンサ、また、出入口に設置するインターホンのスイッチでもよいものであり、これの電気的ＯＮ状態になると、上述のビデオカメラ１の映像信号が後述のビデオテープレコーダの回路３に送出される様になっている。」（２頁右上欄１１行ないし左下欄２行、図面）
イ　「今、顧客が出入口のドアを開けた場合には、アラームスイッチ２が閉動作して、ビデオカメラの映像信号が検波回路４と映像分割回路５に入力する。この場合には、検波回路４からの出力信号は、映像分割回路５をＯＮ状態にさせるため、チューナ７とビデオカメラ１との二つの映像信号をミックスさせ、家庭用テレビ１０の一つの画面には、二つの映像を構成させるようになる。すなわち、家庭用テレビ１０の画面Ａには、チューナ７からのテレビ放送が映り、この画面Ｂには、ビデオカメラ１の店内監視の状態が映ることになる。したがって、家庭用テレビ１０を視聴することにより、顧客の出入りが防犯監視できる。」（２頁右下欄２０行ないし３頁左上欄１３行）
　
３　本願発明と刊行物発明との対比
　本願発明と刊行物発明を対比すると、
（１）刊行物発明は「カメラ１からの映像信号を録画するものであって、センサ２により人間の存在を検知し、その信号でＶＴＲ制御器４がＶＴＲ５を駆動させるシステムにより有効な録画が可能」なものであり、「被監視室内に人のいる間のみセンサ等の信号により制御し、録画記録するもの」であり、さらに第１図を参酌すると、人物を撮影するカメラが記載されている。してみると、刊行物発明は、本願発明の「監視が必要な空間の人物を撮影するように設置された監視カメラ」及び「監視カメラにより撮影された人物を表わす画像の映像信号または画像データを記録する記録手段」に相当する構成を有している。
　また、刊行物発明は、上記記載より、場所が入口または出口の外側ではないものの、センサが人間の存在を検知しているのであるから、本願発明とは「監視カメラが撮影する場所に設置され，かつ人物を検知して検知信号を発生するセンサ」を有する点で一致している。
　さらに、上記記載より、センサの検知信号でＶＴＲ制御器がＶＴＲへの記録を制御するので、刊行物発明は、本願発明の「センサの検知信号に応答して，撮影により得られた映像信号または画像データを上記記録手段に記録させる制御手段を備えた」点に相当する構成を有している。
　そして、刊行物発明の「ＣＣＴＶ監視装置」は、「監視カメラ・システム」に相当する。
（２）してみると、両者は「監視が必要な空間の人物を撮影するように設置された監視カメラ，上記監視カメラにより撮影された人物を表わす画像の映像信号または画像データを記録する記録手段，上記監視カメラが撮影する場所に設置され，かつ人物を検知して検知信号を発生するセンサ，および上記センサの検知信号に応答して，撮影により得られた映像信号または画像データを上記記録手段に記録させる制御手段，を備えた監視カメラ・システム。」である点で一致し、次の点で一応相違しているものと認められる。
ア　監視カメラについて、撮影が、本願発明は「入口または出口の少くともいずれか一方を通る人物の全体または上半身」であり、「少なくとも焦点距離，露光量および視野が調整されかつ上記監視が必要な空間内に設置され」るものであるのに対し、刊行物発明はその点が明確でない点
イ　センサについて、設置が、本願発明は、「入口または出口の外側」であり、人物による検知信号の発生が、本願発明は「入口または出口の少くともいずれか一方を人物が通る」ことによるのに対し、刊行物発明はそのようなものではない点
ウ　センサの検知信号に応答して、本願発明が「監視カメラに撮影動作を行なわせ」るものであるのに対し、刊行物発明はその点が明確でない点
　
４　相違点についての検討
　相違点アについて検討すると、刊行物２は、刊行物発明と同様の監視装置についてであり、そのカメラは顧客の出入りが防犯監視できるものであり出入口付近に適宜設置してもよいものであって、このように監視カメラを適宜監視が必要な場所に設置することは、個々の実施態様に応じて適宜なし得る設計的事項といえるものであり、刊行物１の第１図にも、カメラと人物の間に遮蔽物がなく、人物の全身を撮影するカメラが記載されているところ、監視カメラが、侵入者等の人を判別できるようにすることは常套のことであり、あるいは、カメラの性能をどの程度とするかという設計的事項といえ、上半身や全身を撮影したり、明りょうに撮影するために焦点距離、露光量、視野を適宜調節することも通常の撮影において普通に行なわれることにすぎず、また、監視が必要な空間内に設置する点は、上記第１図（刊行物１）や刊行物２の「１は防犯監視用のビデオカメラであり、貴金属店あるいは酒屋などの個人店舗の店内に設置するものである。これは、必要に応じて、レジまたは、出入口付近などに適宜、設置してよいものである。」（上記２（２）ア参照）「この画面Ｂには、ビデオカメラ１の店内監視の状態が映ることになる。したがって、家庭用テレビ１０を視聴することにより、顧客の出入りが防犯監視できる。」（上記２（２）イ参照）という記載に示唆されており、あるいは、監視カメラとして普通のことにすぎない。
　また、相違点イについて検討すると、刊行物２は、刊行物発明と同様の監視装置についてであって、出入口のドアに連動させる電気的スイッチや、顧客の出入りを感知する赤外線センサあるいは、人体の体温をキャッチするセンサでもよいものであり、これの電気的ＯＮ状態になると、ビデオカメラ１の映像信号が後述のビデオテープレコーダの回路３に送出される様になっており、また、顧客が出入口のドアを開けた場合には、アラームスイッチ２が閉動作して、ビデオカメラの映像信号が検波回路４と映像分割回路５に入力することにより出入りを検知しているのであるから、出入口を「通る」人を検知しているといえる。また、通過を検知することは周知技術（必要ならば、特開平４−１６９０９５号公報、特開平１−１２６５８６号公報、実願昭６２−１２３６６６号（実開昭６４−３０４７１号）のマイクロフィルム参照）にすぎないし、センサへの不要な信号を排除することは普通に考慮することであるから、入口または出口の外側にセンサを設ける点は、通常の工夫の範囲内といえ、当業者が容易に推考し得たものである。
　さらに、相違点ウについて検討すると、カメラが撮影動作をしなければ映像信号は得られないのであるから、映像信号または画像データを得るために、カメラに撮影動作を行わせることは普通に行うことに過ぎない。
　そして、これらを総合的に考慮しても、上記相違点は、当業者が容易に推考できたものであり、また、上記相違点に基づく本願発明の効果に格別顕著なものは認められない。
　
５　請求人の主張
　請求人は審判請求書において、「本願発明は，単に人物を検知し，撮影，記録を行うものではない。引用文献７（注：刊行物２、特開昭６２−１８３２８９号公報）においては，出入口のドアが開かれると，アラームスイッチ２が動作し，ビデオカメラ１によって顧客の出入を監視する。引用文献７では，顧客が出入口を通過しなくともドアが開かれるとアラームスイッチ２が動いてしまう。顧客が出入りしなくとも撮影されることがある。また，引用文献７には，入口または出口を通る人物の全体または上半身を撮影するように監視カメラの焦点距離，露光量および視野を調整することについては，記載されていず，その示唆すらない。引用文献７においては，必ずしも顧客を鮮明に撮影できないことがある。」と主張している。
　しかしながら、本願明細書段落【０００８】には、「入口または出口の少なくともいずれか一方を人物が通過することは、人体検知器、入口または出口のドアの開閉検知等により検知することができる。」とあり、これらにより通過が検知できるものであるところ、刊行物２（注：引用文献７）のものも、出入口のドアに連動させる電気的スイッチや、顧客の出入りを感知する赤外線センサあるいは、人体の体温をキャッチするセンサでもよいものであり、これの電気的ＯＮ状態になると、上述のビデオカメラ１の映像信号が後述のビデオテープレコーダの回路３に送出される様になっており、また、顧客が出入口のドアを開けた場合には、アラームスイッチ２が閉動作して、ビデオカメラの映像信号が検波回路４と映像分割回路５に入力することにより出入りを検知しているのであり、その具体的構成は本願のものと格別の差があるわけではなく、やはり「通る」人を検知しているといえる。また、通過を検知することは周知技術にすぎない。
　さらに、防犯用の監視カメラが、侵入者等の人を判別できるようにすることは常套であり、あるいは、カメラの性能をどの程度とするかという設計的事項といえ、上半身や全身を撮影したり、明りょうに撮影するために焦点距離、露光量、視野を適宜調節することも通常の撮影において普通におこなわれることにすぎない。
　したがって、請求人の上記主張を採用することができない。
　
６　むすび
　したがって、本願発明は、刊行物に記載された発明に基いて当業者が容易に発明をすることができたものであるので、請求項２ないし３に係る発明について検討するまでもなく、特許法第２９条第２項の規定により特許を受けることができない。
　よって、結論のとおり審決する。